(57)【特許請求の範囲】
【請求項１】
梁および壁で周囲を支持されたコンクリート構造のスラブ本体を、力の大きさに応じて複数のゾーンに区分し、各ゾーンに作用する力に応じたスラブ上端筋を配筋したことを特徴とする鉄筋コンクリート構造のスラブ。
【請求項２】
スラブ本体には段差部が形成されたことを特徴とする請求項１に記載の鉄筋コンクリート構造のスラブ。
【請求項３】
スラブ本体はプレキャストコンクリート板が隣接して設置されてなることを特徴とする請求項１または２に記載の鉄筋コンクリート構造のスラブ。
【請求項４】
プレキャストコンクリート板にはボイド型枠が設置されていることを特徴とする請求項３に記載の鉄筋コンクリート構造のスラブ。
【請求項５】
梁間に隣接して敷き並べられた、ボイド型枠が設置されたプレキャストコンクリート板上に現場打ちコンクリートが打設されてなるスラブ本体を、作用する力の大きさに応じて複数のゾーンに区分し、各ゾーンに作用する力に応じてボイド型枠間に形成されるリブの数またはリブの幅を決定したことを特徴とする鉄筋コンクリート構造のスラブ。
【発明の詳細な説明】
【０００１】
【発明の属する技術分野】
本発明は鉄筋コンクリート構造のスラブに関するものである。
【０００２】
【従来の技術】
一般に、段差部を有する鉄筋コンクリート構造のスラブにおけるスラブ上端筋の配筋量は、対象となる一辺における最大の力に対応して決められている。これを鉄筋コンクリート構造のスラブまたはボイドスラブ２６に適用すると、図６および７に示すように、リブ２７に発生する力（対象となる一辺における最大の力）２８に対応したスラブ上端筋２９の配筋量となる。
一方、ボイドスラブ３０が所要の性能を発揮するためには、ＰＣ板３１と現場打ちコンクリート３２との一体性が必要となる。このため、図８に示すように、リブ２７におけるＰＣ板３１と現場打ちコンクリート３２との界面における力２８が許容値、すなわちリブ１本当たりの負担できる力３３を上回った場合には、スラブ厚を厚くしていた。
【０００３】
【発明が解決しようとする課題】
しかし、前者の段差部を有する鉄筋コンクリート構造のスラブまたはボイドスラブは、力の負担度の大きいリブ以外への配筋量が必要量の２〜３倍となっているため、不経済的でかつコンクリートの充填性が低くなるといった問題があった。また後者のボイドスラブは、スラブ厚を厚くしなければならないため非経済的であった。
【０００４】
本発明はこれらの問題に鑑みてなされたものであり、その目的は、力の負担度に応じた配筋量または経済的なスラブ厚にすることができるスラブを提供することである。
【０００５】
【課題を解決するための手段】
以上の課題を解決する請求項１の発明の鉄筋コンクリート構造のスラブの要旨は、梁および壁で周囲を支持されたコンクリート構造のスラブ本体を、力の大きさに応じて複数のゾーンに区分し、各ゾーンに作用する力に応じたスラブ上端筋を配筋したことを特徴とする。またスラブ本体には段差部が形成されたことを含む。またスラブ本体はプレキャストコンクリート板が隣接して設置されてなることを含む。さらにプレキャストコンクリート板にはボイド型枠が設置されていることを含む。
【０００６】
また請求項５の発明の鉄筋コンクリート構造のスラブの要旨は、梁間に隣接して敷き並べられた、ボイド型枠が設置されたプレキャストコンクリート板上に現場打ちコンクリートが打設されてなるスラブ本体を、作用する力の大きさに応じて複数のゾーンに区分し、各ゾーンに作用する力に応じてボイド型枠間に形成されるリブの数またはリブの幅を決定したことを特徴とする。
【０００７】
スラブ本体における各ゾーンに作用する力に応じてスラブ上端筋を配筋したことにより、経済的な配筋量にすることができる。また各ゾーンに作用する力に応じてボイド型枠間に形成されるリブの数またはリブの幅を決定することにより、経済的な鉄筋コンクリート構造のスラブを形成することができる。
【０００８】
【発明の実施の形態】
以下、本発明の鉄筋コンクリート構造のスラブ（以下スラブという）の実施の形態について説明する。このスラブは現場打ちコンクリート造のスラブ、プレキャストコンクリート板、いわゆるハーフプレキャストコンクリート板またはフルプレキャストコンクリート板（以下ハーフＰＣ板またはフルＰＣ板という）によるスラブ、ボイドスラブ、ボイドデッキスラブ、デッキスラブ、プレストレストコンクリートスラブ、プレストレストコンクリートボイドスラブであり、段差部が有るものまたはないものを含む。また各実施の形態において同じ構成は同じ符号を付して説明し、異なった構成にのみ異なった符号を付して説明する。
【０００９】
図１は第１の実施の形態のスラブであるボイドスラブ１を示す。このボイドスラブ１は段差部２を有するものであり、全面にボイド型枠３を設置したハーフＰＣ板４ａが梁間の両側に敷設され、これらのハーフＰＣ板４ａの間に、一部にボイド型枠３が設置されないハーフＰＣ板４ｂが敷設されて下床５が形成され、この下床５上にスラブ上端筋６が配筋されて形成されている。
【００１０】
このボイドスラブ１は、図示するように、段差部２周辺に大きな力１６が作用し、この段差部２周辺と、それ以外の部分との力の負担度合いに大きな差が生じている。そこで、図２に示すように、段差部２を有するスラブ１の長辺方向を作用する力１６の大きさに応じて複数のゾーン、すなわち段差部周辺ゾーン７、段差部ゾーン８およびこれ以外のゾーン９にそれぞれ区分し、これらのゾーン７、８、９に作用する最大の力１６に対応した量のスラブ上端筋６を配筋した。例えば、同図の（２）に示すように、段差部周辺ゾーン７は他のゾーン８、９に比べて、大きな力１６が作用するため、これに見合った量のスラブ上端筋６を配筋する他、この次に大きな力１６が作用する段差部ゾーン８には前記ゾーン７よりも少ない量のスラブ上端筋６を配筋し、これ以外のゾーン９は他よりも小さな力が作用するため最も少ない量のスラブ上端筋６を配筋する。このように、各ゾーン７、８、９に作用する最大の力１６に対応した量のスラブ上端筋６を配筋することにより、経済的な配筋ができるとともに、コンクリートの充填性を高めることもできる。
【００１１】
図３は第２の実施の形態のボイドスラブ１０を示す。このボイドスラブ１０は全面にボイド型枠３を設置したハーフＰＣ板１１が梁間に敷設されて形成されたものであり、下床５の短辺の中央部に大きな力１６が作用し、この周辺部分における力の負担度合いに大きな差が生じている。そこで、図示するように、下床５の短辺を複数のゾーン、すなわち大きな力１６が作用するゾーン１２と、これ以外のゾーン１３とに区分し、これらのゾーン１２、１３における最大の力１６に対応した量のスラブ上端筋６を配筋した。したがって、前記と同じように経済的なスラブ上端筋６の配筋ができるとともに、コンクリートの充填性を高めることができる。
【００１２】
また、上記のボイドスラブ１、１０は、いわゆるフルＰＣ板、ボイドデッキまたは現場打ちコンクリートで形成することもできるとともに、段差部のないボイドスラブをフルＰＣ板、ボイドデッキまたは現場打ちコンクリートで形成することもできる。
【００１３】
図４は第３の実施の形態のボイドスラブ１４を示す。このボイドスラブ１４は、前記と同様に、全面にボイド型枠３を設置したハーフＰＣ板１５が梁間に敷設されて形成されたものであり、スラブ本体５の短辺の中央部に大きな力１６が作用している。この力（一点鎖線で表した力）１６は、図７に示すようなボイドスラブ（ボイド型枠が等間隔ごとに配置されたハーフＰＣ板によるボイドスラブ）におけるリブ１本当たりの負担できる力３３を上回っている。そこで、図示するように、スラブ本体５の短辺を複数のゾーン、すなわち大きな力１６が作用するゾーン１７と、これ以外のゾーン１８とに区分し、大きな力１６が作用するゾーン１７のボイド型枠３を分割してリブ１９の数を多くすることにより、大きな力１６を分散させて負担させたものである。したがって、スラブ本体５の短辺の中央部に作用する大きな力１６を複数のリブ１９で分散させて負担させることができるので、スラブ厚を厚くする必要がなく、経済的なボイドスラブを構築することができる。
【００１４】
図５は第４の実施の形態のボイドスラブ２０を示す。このボイドスラブ２０も、前記と同様に、全面にボイド型枠３を設置したハーフＰＣ板２１が梁間に敷設されて形成されたものであり、リブ２２の幅を広げてリブ１本当たりの負担できる力を大きくしたものである。すなわち、図７に示すようなボイドスラブ（ボイド型枠が等間隔ごとに配置されたハーフＰＣ板によるボイドスラブ）におけるリブの負担できる力（一点鎖線で表した力）３４は、スラブ本体５の短辺の中央部に作用する大きな力１６を下回っているため、図示するように、スラブ本体５の短辺を複数のゾーン、すなわち大きな力１６が作用するゾーン２３と、これ以外のゾーン２４とに区分し、大きな力１６が作用するゾーン２３のボイド型枠２５を小さくしてリブ２２の幅を広げてリブ１本当たりの負担できる力を大きくしたものである。したがって、幅を広げたリブ２２でスラブ本体５の短辺の中央部に作用する大きな力１６を負担することができるので、スラブ厚を厚くする必要がなく、経済的なボイドスラブを構築することができる。なお、上記のリブ２２の幅を広げる方法は、上記の他にボイド型枠２５を両側に移動させて行うこともできる。
【００１５】
なお、上記第１〜４の実施の形態のスラブ１、１０、１４、２０の配筋は、ハーフＰＣ板またはフルＰＣ板によるスラブ、ボイドデッキスラブ、デッキスラブ、プレストレストコンクリートスラブ、プレストレストコンクリートボイドスラブにも適用することができる。
【００１６】
【発明の効果】
スラブ本体における各ゾーンに作用する力に応じてスラブ上端筋を配筋したことにより、経済的な配筋量にすることができる。
【００１７】
スラブ本体における各ゾーンに作用する力に応じてボイド型枠間に形成されるリブの数またはリブの幅を決定することにより、経済的なボイドスラブを形成することができる。
【図面の簡単な説明】
【図１】第１の実施の形態のボイドスラブの平面図である。
【図２】（１）は第１の実施の形態のボイドスラブのスラブ本体をゾーンに区分した平面図、（２）は（１）のゾーンの配筋量を示す平面図である。
【図３】（１）は第２の実施の形態のボイドスラブのスラブ本体をゾーンに区分した平面図、（２）は（１）のゾーンの配筋量を示す平面図である。
【図４】第３の実施の形態のボイドスラブのスラブ本体の平面図である。
【図５】第４の実施の形態のボイドスラブのスラブ本体の平面図である。
【図６】従来の段差部を備えたボイドスラブであり、（１）はスラブ本体の平面図、（２）はその配筋量を示す平面図である。
【図７】従来のボイドスラブであり、（１）はボイド型枠を等間隔に設置したハーフＰＣ板によるスラブ本体の平面図、（２）はその配筋量を示す平面図である。
【図８】ボイド型枠を等間隔に設置したハーフＰＣ板で形成されたボイドスラブにおけるスラブ本体の平面図である。
【符号の説明】
１、１０、１４、２０、２６、３０  ボイドスラブ
２  段差部
３、２５  ボイド型枠
４、１１、１５、２１、３１  ハーフＰＣ板
５  スラブ本体
６、２９  スラブ上端筋
７  段差部周辺ゾーン
８  段差部ゾーン
９  これ以外のゾーン
１２、１３、１７、１８、２３、２４  ゾーン
１６、２８  大きな力
１９、２２、２７  リブ
３２  現場打ちコンクリート
３３  リブ１本当たりの負担できる力
【図１】
0003872981.tif 000002
【図２】
0003872981.tif 000003
【図３】
0003872981.tif 000004
【図４】
0003872981.tif 000005
【図５】
0003872981.tif 000006
【図６】
0003872981.tif 000007
【図７】
0003872981.tif 000008
【図８】
0003872981.tif 000009